(57)【要約】  【課題】電話端末間において、これらの電話端末を収容する主装置がサポートしていないメディア種別での通話を可能とする技術を提供する。  【解決手段】主装置２は、発信元の電話端末３から受信した接続要求メッセージに付加されたメディア接続情報で指定されているメディア種別をサポートしていない場合、この接続要求メッセージの発信先の電話端末３がこのメディア種別をサポートしているならば、接続要求メッセージに付加されたメディア接続情報のメディア接続先に発信元の電話端末３を設定して、この接続要求メッセージを発信先の電話端末３に中継するとともに、発信先の電話端末３から受信した接続応答メッセージに付加されたメディア接続情報のメディア接続先に発信先の電話端末３を設定して、この接続応答メッセージを発信元の電話端末３に中継することにより、発信元の電話端末３と発信先の電話端末３との間に主装置２を経由しない通話路を確立させる。【選択図】図１
2018064255.tif 000002
【特許請求の範囲】
【請求項１】
呼接続を要求する接続要求メッセージの発信元と前記接続要求メッセージが指定する着信先との間で情報を中継する主装置であって、
前記発信元から受信した前記接続要求メッセージが指定する符号化則に基づく情報を自主装置が中継できない場合に、前記着信先は当該符号化則に基づく情報の通信が可能であるか否かを判断する通信可否判断手段と、
前記通信可否判断手段が前記着信先は当該符号化則に基づく通信が可能と判断した場合に、当該符号化則に基づく情報の通信先を前記発信元に設定した当該接続要求メッセージを前記着信先へ中継するとともに、前記着信先から受信した当該接続要求メッセージに対する応答である接続応答メッセージが指定する当該符号化則に基づく情報の通信先を前記着信先に設定して当該接続応答メッセージを前記発信元へ中継するメッセージ中継手段と、を有する
ことを特徴とする主装置。
【請求項２】
請求項１に記載の主装置であって、
前記メッセージ中継手段は、
前記通信可否判断手段が前記着信先は当該符号化則に基づく通信が不可能と判断した場合に、当該符号化則に基づく情報を自主装置が通信可能な符号化則に基づく情報に設定し、かつ通信先を自主装置に設定した符号化則に基づく接続要求メッセージを前記着信先に中継する
ことを特徴とする主装置。
【請求項３】
請求項１または２に記載の主装置であって、
前記通信可否判断手段は、
パーク保留中に保留解除要求元からパーク保留解除要求メッセージを受信した場合に、当該パーク保留解除要求メッセージが指定する符号化則に基づく情報の通信を前記パーク保留中の保留先が可能であるか否かをさらに判断し、
前記メッセージ中継手段は、
前記通信可否判断手段が前記パーク保留中の保留先は前記パーク保留解除要求メッセージが指定する符号化則に基づく情報の通信が可能と判断した場合に、前記パーク保留解除要求メッセージが指定する符号化則に基づく情報の通信に設定し、かつ当該符号化則に基づく情報の通信先を前記パーク保留中の保留先に設定した再接続要求メッセージを前記保留解除要求元へ送信するとともに、前記パーク保留解除要求メッセージが指定する符号化則に基づく情報の通信に設定し、かつ当該符号化則に基づく情報の通信先を前記保留解除要求元に設定した再接続要求メッセージを前記パーク保留中の保留先へ送信する
ことを特徴とする主装置。
【請求項４】
請求項３に記載の主装置であって、
前記メッセージ中継手段は、
前記通信可否判断手段が前記パーク保留中の保留先は前記パーク保留解除要求メッセージが指定する符号化則に基づく情報の通信が不可能と判断した場合に、当該符号化則に基づく情報を自主装置が通信可能な符号化則に基づく情報に設定し、かつ通信先を自主装置に設定した再接続要求メッセージを前記保留解除要求元およびパーク保留中の保留先の各々へ送信する
ことを特徴とする主装置。
【請求項５】
請求項１ないし４のいずれか一項に記載の主装置であって、
受信した呼制御メッセージが指定する符号化則に基づく情報を抽出する符号化則情報抽出手段と、
符号化則に基づく情報を記憶する符号化則情報記憶手段と、
前記メッセージ中継手段が送信する呼制御メッセージに、前記符号化則情報記憶手段に記憶された符号化則に基づく情報を指定する符号化則情報指定手段と、をさらに有し、
前記メッセージ中継手段は、
前記通信可否判断手段による判断結果に基づいて、前記符号化則情報抽出手段により呼制御メッセージから抽出された呼制御メッセージが指定する符号化則に基づく情報、あるいは、符号化則に基づく情報の通信を自主装置が通信可能な符号化則に基づく情報を前記符号化則情報記憶手段に記憶する
ことを特徴とする主装置。
【請求項６】
請求項１ないし５のいずれか一項に記載の主装置であって、
自主装置が収容する電話端末毎に、電話端末から受信した端末登録要求メッセージが指定する当該電話端末が、通信が可能な当該符号化則に基づく情報を記憶する端末情報記憶手段をさらに有し、
前記通信可否判断手段は、
前記端末情報記憶手段を参照して、呼制御メッセージの送信先は当該符号化則に基づく情報の通信が可能であるか否かを判断する
ことを特徴とする主装置。
【請求項７】
主装置より呼接続を要求する接続要求メッセージの発信元と着信先との間で情報を中継する呼接続方法であって、
前記主装置は、
前記発信元から受信した前記接続要求メッセージが指定する符号化則に基づく情報を自主装置が中継できない場合に、前記着信先は当該符号化則に基づく情報の通信が可能であるか否かを判断し、
前記着信先は当該符号化則に基づく通信が可能と判断した場合に、当該符号化則に基づく情報の通信先を前記発信元に設定した当該接続要求メッセージを前記着信先へ中継するとともに、前記着信先から受信した当該接続要求メッセージに対する応答である接続応答メッセージが指定する当該符号化則に基づく情報の通信先を前記着信先に設定して当該接続応答メッセージを前記発信元へ中継する
ことを特徴とする呼接続方法。
【発明の詳細な説明】
【技術分野】
【０００１】
本発明は、主装置に関し、特に主装置が収容する電話端末間の呼接続技術に関する。
【背景技術】
【０００２】
近年、テレビ電話等の映像音声通話をサポートする電話端末が普及している。ここで、音声通話のみをサポートする主装置は、収容している電話端末から、メディア種別として「映像音声」が指定されたメディア接続情報が付加された接続要求メッセージを受信した場合、メディア接続情報のメディア種別を「音声」に変更して接続要求メッセージを発信先の電話端末に中継することにより、発信元の電話端末と発信先の電話端末との間に主装置経由で音声通話路を確立するか、あるいは、特許文献１に示すように、メディア種別「映像音声」がサポートされていないことを拒絶の理由とする接続拒否メッセージを返信することにより対応していた。
【先行技術文献】
【特許文献】
【０００３】
【特許文献１】特表２０１２−５１０７５３号公報
【発明の概要】
【発明が解決しようとする課題】
【０００４】
しかしながら、上記従来の対応方法では、発信元の電話端末および発信先の電話端末の双方がメディア種別「映像音声」をサポートしている場合であっても、これらの電話端末を収容する主装置がメディア種別「映像音声」をサポートしていないならば、これらの電話端末間でメディア種別「映像音声」による通話を行うことができない。
【０００５】
本発明は上記事情に鑑みてなされたものであり、本発明の目的は、電話端末間において、これらの電話端末を収容する主装置がサポートしていないメディア種別での通話を可能とする技術を提供することにある。
【課題を解決するための手段】
【０００６】
上記課題を解決するために、本発明において、主装置は、発信元の電話端末から受信した接続要求メッセージに付加されているメディア接続情報で指定されているメディア種別をサポートしていない場合、この接続要求メッセージの発信先の電話端末がこのメディア種別をサポートしているならば、接続要求メッセージに付加されているメディア接続情報のメディア接続先に発信元の電話端末を設定して、この接続要求メッセージを発信先の電話端末に中継するとともに、発信先の電話端末から受信した接続応答メッセージに付加されているメディア接続情報のメディア接続先に発信先の電話端末を設定して、この接続応答メッセージを発信元の電話端末に中継することにより、発信元の電話端末と発信先の電話端末との間に主装置を経由しない通話路を確立させる。
【０００７】
例えば、本発明は、
呼接続を要求する接続要求メッセージの発信元と前記接続要求メッセージが指定する着信先との間で情報を中継する主装置であって、
前記発信元から受信した前記接続要求メッセージが指定する符号化則に基づく情報を自主装置が中継できない場合に、前記着信先は当該符号化則に基づく情報の通信が可能であるか否かを判断する通信可否判断手段と、
前記通信可否判断手段が前記着信先は当該符号化則に基づく通信が可能と判断した場合に、当該符号化則に基づく情報の通信先を前記発信元に設定した当該接続要求メッセージを前記着信先へ中継するとともに、前記着信先から受信した当該接続要求メッセージに対する応答である接続応答メッセージが指定する当該符号化則に基づく情報の通信先を前記着信先に設定して当該接続応答メッセージを前記発信元へ中継するメッセージ中継手段と、を有する。
【発明の効果】
【０００８】
本発明によれば、発信元の電話端末から受信した接続要求メッセージに付加されたメディア接続情報で指定されているメディア種別を主装置がサポートしていない場合、発信先の電話端末がこのメディア種別をサポートしているならば、発信元の電話端末と発信先の電話端末との間に主装置を経由しない通話路を確立させて、このメディア種別での通話を可能としている。したがって、本発明によれば、電話端末間において、これらの電話端末を収容する主装置がサポートしていないメディア種別での通話を行うことができる。
【図面の簡単な説明】
【０００９】
【図１】図１は、本発明の一実施の形態に係る内線電話システム１の概略構成図である。
【図２】図２は、本発明の一実施の形態に係る内線電話システム１の端末登録動作例を説明するためのシーケンス図である。
【図３】図３は、本発明の一実施の形態に係る内線電話システム１の電話端末３同士の内線通話の第一の動作例を説明するためのシーケンス図である。
【図４】図４は、本発明の一実施の形態に係る内線電話システム１の電話端末３同士の内線通話の第二の動作例を説明するためのシーケンス図である。
【図５】図５は、本発明の一実施の形態に係る内線電話システム１の電話端末３同士の内線通話の第三の動作例を説明するためのシーケンス図である。
【図６】図６は、主装置２の概略機能構成図である。
【図７】図７は、端末情報記憶部２３の登録内容例を模式的に表した図である。
【図８】図８は、主装置２の端末登録処理を説明するためのフロー図である。
【図９】図９は、主装置２の呼接続処理を説明するためのフロー図である。
【図１０】図１０は、主装置２のパーク保留・転送処理を説明するためのフロー図である。
【図１１】図１１は、主装置２の呼切断処理を説明するためのフロー図である。
【発明を実施するための形態】
【００１０】
以下に、本発明の一実施の形態について説明する。
【００１１】
図１は、本実施の形態に係る内線電話システム１の概略構成図である。
【００１２】
図示するように、本実施の形態に係る内線電話システム１は、主装置２と、主装置２に収容された複数の電話端末３−１〜３−４（以下、単に電話端末３とも呼ぶ）と、を備えている。主装置２は、ＬＡＮ等の内線４を介して電話端末３に接続されるともに、ＷＡＮ等の外線６を介して電話網５に接続されている。主装置２は、電話端末３同士あるいは電話端末３と電話網５との間の通話路の確立・解放、および所定のメディア種別「Ａ」（例えば音声）による通話の中継を行う。電話端末３は、少なくとも主装置２と同じメディア種別「Ａ」による通話をサポートしており、いくつかの電話端末３は、このメディア種別「Ａ」に加えて、他のメディア種別による通話をサポートする。本実施の形態において、電話端末３−１は、メディア種別「Ａ」による通話のみをサポートし、電話端末３−２は、メディア種別「Ａ」に加えてメディア種別「Ｂ」（例えば映像音声）による通話をサポートし、電話端末３−３は、メディア種別「Ａ」に加えてメディア種別「Ｃ」（例えばメディア種別「Ｂ」とは異なる方式の映像音声）による通話をサポートし、電話端末３−４は、メディア種別「Ａ」に加えてメディア種別「Ｂ」、「Ｃ」による通話をサポートしている。なお、主装置２は、メディア種別「Ａ」による通話のみサポートしている。
【００１３】
ここで、メディア種別とは、発信元と着信先に中継される通信情報の符号化則など、情報メディアの形態を意味するものである。
【００１４】
上記構成の内線電話システム１において、主装置２は、電話端末３からこの電話端末３がサポートするメディア種別の指定を含む端末登録要求メッセージを受信し、この電話端末３を、この電話端末３がサポートするメディア種別に対応付けて登録する。これにより、この電話端末３を端末登録して収容する。
【００１５】
また、主装置２は、電話端末３から、主装置２がサポートするメディア種別「Ａ」以外のメディア種別の指定を含むメディア接続情報が付加され、他の電話端末３を発信先とする接続要求メッセージを受信した場合、指定されたメディア種別を発信先の電話端末３がサポートしているならば、発信元の電話端末３と発信先の電話端末３との間に主装置２を経由させず直接通話路を確立し、この通話路を介して、指定されたメディア種別による通話を行わせる。一方、指定されたメディア種別を発信先の電話端末３がサポートしていないならば、発信元の電話端末３と発信先の電話端末３との間に主装置２経由で通話路を確立し、この通話路を介して、主装置２がサポートするメディア種別「Ａ」による通話を行わせる。
【００１６】
なお、主装置２がサポートするメディア種別「Ａ」の指定を含むメディア接続情報が付加された接続要求メッセージを電話端末３から受信した場合、電話端末３から受信した呼制御メッセージの発信先が電話網５であるとき、あるいは、電話網５から呼制御メッセージを受信したときには、従来と同様、発信元と発信先との間に主装置２経由で通話路を確立し、この通話路を介して、主装置２がサポートするメディア種別「Ａ」による通話を行わせる。
【００１７】
図２は、本実施の形態に係る内線電話システム１の端末登録動作例を説明するためのシーケンス図である。なお、本実施の形態において、電話端末３−１には内線番号「５０１」が割り当てられ、電話端末３−２には内線番号「５０２」が割り当てられ、電話端末３−３には内線番号「５０３」が割り当てられ、電話端末３−４には内線番号「５０４」が割り当てられているものとする。
【００１８】
電話端末３−１〜３−４は、電源オンになると（Ｓ１００−１〜Ｓ１００−４）、主装置２に対する端末登録要求（ＲＥＧＩＳＴＥＲ）メッセージの定期送信を開始する（Ｓ１０１−１〜Ｓ１０１−４）。これにより、電話端末３−１は、自身に割り当てられた内線番号「５０１」、自身がサポートするメディア種別「Ａ」、および存続期間の指定を含む端末登録要求メッセージを、少なくとも指定した存続期間よりも短いインターバルで定期送信する（Ｓ１０２−１）。また、電話端末３−２は、自身に割り当てられた内線番号「５０２」、自身がサポートするメディア種別「Ａ」、「Ｂ」、および存続期間の指定を含む端末登録要求メッセージを、少なくとも指定した存続期間よりも短いインターバルで定期送信する（Ｓ１０２−２）。また、電話端末３−３は、自身に割り当てられた内線番号「５０３」、自身がサポートするメディア種別「Ａ」、「Ｃ」、および存続期間の指定を含む端末登録要求メッセージを、少なくとも指定した存続期間よりも短いインターバルで定期送信する（Ｓ１０２−３）。また、電話端末３−４は、自身に割り当てられた内線番号「５０４」、自身がサポートするメディア種別「Ａ」、「Ｂ」、「Ｃ」、および存続期間の指定を含む端末登録要求メッセージを、少なくとも指定した存続期間よりも短いインターバルで定期送信する（Ｓ１０２−４）。
【００１９】
主装置２は、電話端末３−１〜３−４から端末登録要求メッセージを受信すると、受信した端末登録要求メッセージで指定されている内線番号が収容対象として予め登録されていることを確認して、電話端末３−１〜３−４の端末登録を行い（Ｓ１０３−１〜Ｓ１０３−４）、電話端末３−１〜３−４に端末登録受付（２００ＯＫ）メッセージを返信する（Ｓ１０４−１〜Ｓ１０４−４）。
【００２０】
具体的には、電話端末３−１から受信した端末登録要求メッセージで指定されているメディア種別「Ａ」を、この端末登録要求メッセージで指定されている内線番号「５０１」に対応付けて登録するとともに、この登録情報の有効期限を、この端末登録要求メッセージで指定されている存続期間に応じた期限に設定し、それから電話端末３−１に端末登録受付メッセージを返信する。そして、この有効期限までに電話端末３−１から端末登録要求メッセージを受信したならば、この端末登録要求メッセージで指定されているメディア種別「Ａ」および存続期間を用いて、この端末登録要求メッセージで指定されている内線番号「５０１」に対応付けられて登録されているメディア種別および有効期限を更新し、それから電話端末３−１に端末登録受付メッセージを返信する。
【００２１】
また、電話端末３−２から受信した端末登録要求メッセージで指定されているメディア種別「Ａ」、「Ｂ」を、この端末登録要求メッセージで指定されている内線番号「５０２」に対応付けて登録するとともに、この登録情報の有効期限を、この端末登録要求メッセージで指定されている存続期間に応じた期限に設定し、それから電話端末３−２に端末登録受付メッセージを返信する。そして、この有効期限までに電話端末３−２から端末登録要求メッセージを受信したならば、この端末登録要求メッセージで指定されているメディア種別「Ａ」、「Ｂ」および存続期間を用いて、この端末登録要求メッセージで指定されている内線番号「５０２」に対応付けられて登録されているメディア種別および有効期限を更新し、それから電話端末３−２に端末登録受付メッセージを返信する。
【００２２】
また、電話端末３−３から受信した端末登録要求メッセージで指定されているメディア種別「Ａ」、「Ｃ」を、この端末登録要求メッセージで指定されている内線番号「５０３」に対応付けて登録するとともに、この登録情報の有効期限を、この端末登録要求メッセージで指定されている存続期間に応じた期限に設定し、それから電話端末３−３に端末登録受付メッセージを返信する。そして、この有効期限までに電話端末３−３から端末登録要求メッセージを受信したならば、この端末登録要求メッセージで指定されているメディア種別「Ａ」、「Ｃ」および存続期間を用いて、この端末登録要求メッセージで指定されている内線番号「５０３」に対応付けられて登録されているメディア種別および有効期限を更新し、それから電話端末３−３に端末登録受付メッセージを返信する。
【００２３】
また、電話端末３−４から受信した端末登録要求メッセージで指定されているメディア種別「Ａ」、「Ｂ」、「Ｃ」を、この端末登録要求メッセージで指定されている内線番号「５０４」に対応付けて登録するとともに、この登録情報の有効期限を、この端末登録要求メッセージで指定されている存続期間に応じた期限に設定し、それから電話端末３−４に端末登録受付メッセージを返信する。そして、この有効期限までに電話端末３−４から端末登録要求メッセージを受信したならば、この端末登録要求メッセージで指定されているメディア種別「Ａ」、「Ｂ」、「Ｃ」および存続期間を用いて、この端末登録要求メッセージで指定されている内線番号「５０４」に対応付けられて登録されているメディア種別および有効期限を更新し、それから電話端末３−４に端末登録受付メッセージを返信する。
【００２４】
ここで、電話端末３−１がユーザから端末登録解除操作を受け付けたとする（Ｓ１０５）。これを受けて、電話端末３−１は、自身に割り当てられた内線番号「５０１」の指定を含む端末登録解除要求メッセージを主装置２に送信する（Ｓ１０６）。そして、主装置２は、電話端末３−１から受信した端末登録解除要求メッセージで指定されている内線番号「５０１」に対応付けられて登録されているメディア種別「Ａ」および有効期限を削除して、電話端末３−１の端末登録を解除し（Ｓ１０７）、それから電話端末３−１に端末登録解除受付（２００ＯＫ）メッセージを返信する（Ｓ１０８）。
【００２５】
つぎに、電話端末３−２が電源オフされたものとする（Ｓ１０９）。主装置２は、電話端末３−２から端末登録要求メッセージを受信することなく、電話端末３−２の内線番号「５０２」に対応付けられて登録されている有効期限の経過によりタイムアウトすると、この内線番号「５０２」に対応付けられて登録されているメディア種別「Ａ」、「Ｂ」および有効期限を削除して、電話端末３−２の端末登録を解除する（Ｓ１１０）。
【００２６】
図３は、本実施の形態に係る内線電話システム１の電話端末３同士の内線通話の第一の動作例を説明するためのシーケンス図である。ここでは、電話端末３−２と電話端末３−４との間に、主装置２がサポートするメディア種別「Ａ」以外のメディア種別「Ｂ」の通話路が確立される場合の動作例を示している。
【００２７】
まず、電話端末３−２が、電話端末３−４の内線番号「５０４」の指定を伴う発信操作をユーザから受け付けたものとする（Ｓ２００）。これを受けて、電話端末３−２は、発信先番号を電話端末３−４の内線番号「５０４」とする接続要求（ＩＮＶＩＴＥ）メッセージを生成して、この接続要求メッセージに、主装置２がメディア接続先として設定され、かつ、電話端末３−４がサポートするメディア種別「Ａ」、「Ｂ」のうち、デフォルト設定されているメディア種別「Ｂ」がメディア種別として設定されたメディア接続情報（ＳＤＰ：Ｓｅｓｓｉｏｎ  Ｄｅｓｃｒｉｐｔｉｏｎ  Ｐｒｏｔｏｃｏｌ）を付加する。そして、この接続要求メッセージを主装置２に送信する（Ｓ２０１）。
【００２８】
主装置２は、電話端末３−２から接続要求メッセージを受信すると、この接続要求メッセージのメディア接続情報に設定されているメディア種別「Ｂ」を主装置２がサポートしていないことを確認する。それから、この接続要求メッセージの発信先番号「５０４」により特定される電話端末３−４の端末情報（サポートするメディア種別「Ａ」、「Ｂ」、「Ｃ」）を参照して、電話端末３−４がメディア種別「Ｂ」をサポートしているか否かを判断する（Ｓ２０２）。ここで、電話端末３−４は、メディア種別「Ｂ」をサポートしている。そこで、主装置２は、接続要求メッセージのメディア接続情報のメディア接続先を電話端末３−２に設定（変更）して（Ｓ２０３）、この接続要求メッセージを電話端末３−４に中継する（Ｓ２０４）。したがって、電話端末３−４に中継された接続要求メッセージのメディア接続情報のメディア接続先、メディア種別は、電話端末３−２、メディア種別「Ｂ」となる。
【００２９】
電話端末３−４は、主装置２から接続要求メッセージを受信すると、ユーザに着信を知らせるとともに、呼出（１８０Ｒｉｎｇｉｎｇ）メッセージを主装置２に返信する（Ｓ２０５）。主装置２は、呼出メッセージを受信すると、この呼出メッセージを電話端末３−２に中継する（Ｓ２０６）。
【００３０】
つぎに、電話端末３−４は、ユーザから応答操作（オフフック）を受け付けると（Ｓ２０７）、接続応答（２００ＯＫ）メッセージを生成して、この接続応答メッセージに、メディア接続先として主装置２が設定され、かつ、メディア種別として接続要求メッセージのメディア接続情報のメディア種別「Ｂ」が設定されたメディア接続情報を付加する。そして、この接続応答メッセージを主装置２に送信する（Ｓ２０８）。
【００３１】
主装置２は、電話端末３−４から接続応答メッセージを受信すると、この接続応答メッセージのメディア接続情報のメディア接続先を電話端末３−４に設定（変更）して（Ｓ２０９）、この接続応答メッセージを電話端末３−２に中継する（Ｓ２１０）。この接続応答メッセージを電話端末３−２が受信することにより、電話端末３−２と電話端末３−４との間に、主装置２を経由しないで通話路が直接確立される（Ｓ２１１）。そして、この通話路を介して、主装置２がサポートしていないメディア種別「Ｂ」による通話が行われる。
【００３２】
その後、電話端末３−２が、ユーザから終話操作（オンフック）を受け付けたものとする（Ｓ２１２）。これを受けて、電話端末３−２は、電話端末３−２と電話端末３−４との間の通話路を解放するための切断要求（ＢＹＥ）メッセージを主装置２に送信する（Ｓ２１３）。主装置２は、電話端末３−２から切断要求メッセージを受信すると、電話端末３−２に切断応答（２００ＯＫ）メッセージを返信するとともに（Ｓ２１４）、切断要求メッセージを電話端末３−４に中継する（Ｓ２１５）。電話端末３−４は、主装置２から切断要求メッセージを受信すると、切断応答メッセージを主装置２に返信する（Ｓ２１６）。これにより、電話端末３−２と電話端末３−４との間の通話路が解放され、メディア種別「Ｂ」による通話が終了する（Ｓ２１７）。
【００３３】
図４は、本実施の形態に係る内線電話システム１の電話端末３同士の内線通話の第二の動作例を説明するためのシーケンス図である。ここでは、電話端末３−２と電話端末３−３の間に、主装置２がサポートするメディア種別「Ａ」の通話路が確立される場合の動作例を示している。
【００３４】
まず、電話端末３−２が、電話端末３−３の内線番号「５０３」の指定を伴う発信操作をユーザから受け付けたものとする（Ｓ３００）。これを受けて、電話端末３−２は、発信先番号を電話端末３−３の内線番号「５０３」とする接続要求（ＩＮＶＩＴＥ）メッセージを生成して、この接続要求メッセージに、メディア接続先として主装置２が設定され、かつ、メディア種別として電話端末３−３がサポートするメディア種別「Ａ」、「Ｂ」のうちデフォルト設定されているメディア種別Ｂが設定されたメディア接続情報（ＳＤＰ）を付加する。そして、この接続要求メッセージを主装置２に送信する（Ｓ３０１）。
【００３５】
主装置２は、電話端末３−２から接続要求メッセージを受信すると、この接続要求メッセージのメディア接続情報に設定されているメディア種別「Ｂ」を主装置２がサポートしていないことを確認する。それから、この接続要求メッセージの発信先番号「５０３」により特定される電話端末３−３の端末情報（サポートするメディア種別「Ａ」、「Ｃ」）を参照して、電話端末３−３がメディア種別「Ｂ」をサポートしているか否かを判断する（Ｓ３０２）。ここで、電話端末３−３は、メディア種別「Ｂ」をサポートしていない。そこで、主装置２は、接続要求メッセージのメディア接続情報のメディア種別を、主装置２がサポートするメディア種別「Ａ」に設定（変更）して（Ｓ３０３）、この接続要求メッセージを電話端末３−３に中継する（Ｓ３０４）。したがって、電話端末３−３に中継される接続要求メッセージのメディア接続情報のメディア接続先、メディア種別は、主装置２、メディア種別「Ａ」となる。
【００３６】
電話端末３−３は、主装置２から接続要求メッセージを受信すると、ユーザに着信を知らせるとともに、呼出（１８０Ｒｉｎｇｉｎｇ）メッセージを主装置２に返信する（Ｓ３０５）。主装置２は、呼出メッセージを受信すると、この呼出メッセージを電話端末３−２に中継する（Ｓ３０６）。
【００３７】
つぎに、電話端末３−３は、ユーザから応答操作（オフフック）を受け付けると（Ｓ３０７）、接続応答（２００ＯＫ）メッセージを生成し、この接続応答メッセージに、メディア接続先として主装置２が設定され、かつ、メディア種別として接続要求メッセージのメディア接続情報のメディア種別「Ａ」が設定されたメディア接続情報を付加する。そして、この接続応答メッセージを主装置２に送信する（Ｓ３０８）。
【００３８】
主装置２は、電話端末３−３から接続応答メッセージを受信すると、この接続応答メッセージを電話端末３−２に中継する（Ｓ３０９）。この接続応答メッセージを電話端末３−２が受信することにより、電話端末３−２と電話端末３−３との間に、主装置２を経由して通話路が確立される（Ｓ３１０）。そして、この通話路を介して、主装置２がサポートするメディア種別「Ａ」による通話が行われる。
【００３９】
その後、電話端末３−２が、ユーザから終話操作（オンフック）を受け付けたものとする（Ｓ３１１）。これを受けて、電話端末３−２は、電話端末３−２と電話端末３−３との間の通話路を解放するための切断要求（ＢＹＥ）メッセージを主装置２に送信する（Ｓ３１２）。主装置２は、電話端末３−２から切断要求メッセージを受信すると、電話端末３−２に切断応答（２００ＯＫ）メッセージを返信するとともに（Ｓ３１３）、切断要求メッセージを電話端末３−３に中継する（Ｓ３１４）。電話端末３−３は、主装置２から切断要求メッセージを受信すると、主装置２に切断応答メッセージを返信する（Ｓ３１５）。これにより、電話端末３−２と電話端末３−３との間の通話路が解放され、メディア種別「Ａ」による通話が終了する（Ｓ３１６）。
【００４０】
ここでは、電話端末３が、発信先の他の電話端末３に対して、主装置２および発信先の他の電話端末３の双方がサポートしていないメディア種別を指定したメディア接続情報を含む接続要求メッセージを送信する場合の動作について説明したが、電話端末３が、主装置２がサポートしていないメディア種別を指定したメディア接続情報を含む接続要求メッセージを電話網５に対して送信する場合の動作も、発信先が他の電話端末３から電話網５に変更される点を除き、基本的に同様である。
【００４１】
図５は、本実施の形態に係る内線電話システム１の電話端末３同士の内線通話の第三の動作例を説明するためのシーケンス図である。ここでは、電話端末３−３と電話端末３−４との間に確立された通話路がパーク保留され、パーク保留解除により電話端末３−２と電話端末３−４との間に通話路が新たに確立される場合の動作例を示している。
【００４２】
電話端末３−３と電話端末３−４との間に、主装置２がサポートするメディア種別「Ａ」以外のメディア種別Ｃによる通話路が確立中であるとする（Ｓ３００）。まず、電話端末３−３が、ユーザからパーク保留操作を受け付けたものとする（Ｓ３０１）。これを受けて、電話端末３−３は、主装置２にパーク保留要求（ＩＮＦＯ）メッセージを送信する（Ｓ３０２）。
【００４３】
主装置２は、電話端末３−３からパーク保留要求メッセージを受信すると、電話端末３−３にパーク保留応答（２００ＯＫ）メッセージを返信する（Ｓ３０３）。それから、電話端末３−３に切断要求（ＢＹＥ）メッセージを送信する（Ｓ３０４）。電話端末３−３は、主装置２から切断要求メッセージを受信すると、主装置２に切断応答（２００ＯＫ）メッセージを返信する（Ｓ３０５）。これにより、電話端末３−３と電話端末３−４との間の通話路が解放される（Ｓ３０６）。
【００４４】
つぎに、主装置２は、電話端末３−４に保留音送出要求（ＩＮＶＩＴＥ）メッセージを送信する（Ｓ３０７）。これを受けて、電話端末３−４は、パーク保留音を送出するとともに、主装置２にパーク保留音送出応答（２００ＯＫ）メッセージを返信する（Ｓ３０８）。これにより、電話端末３−４がパーク保留される。
【００４５】
その後、主装置２は、電話端末３−４からパーク保留音送出応答メッセージを受信すると、電話端末３−４がパーク保留中であることを示す状態表示（ＩＮＦＯ）メッセージを、主装置２が収容する各電話端末３−１〜３−４に送信する（Ｓ３０９）。これを受けて、各電話端末３−１〜３−４は、所定のＬＥＤを点滅させるなどして、電話端末３−４がパーク保留中であることをユーザに知らせる。
【００４６】
その後、電話端末３−２が、ユーザからパーク保留解除操作を受け付けたものとする（Ｓ３１０）。これを受けて、電話端末３−２は、パーク保留解除要求（ＩＮＶＩＴＥ）メッセージを生成して、このパーク保留解除要求メッセージに、主装置２がメディア接続先として設定され、かつ、電話端末３−２がサポートするメディア種別「Ａ」、「Ｂ」のうち、デフォルト設定されているメディア種別「Ｂ」がメディア種別として設定されたメディア接続情報（ＳＤＰ）を付加する。そして、このパーク保留解除要求メッセージを主装置２に送信する（Ｓ３１１）。
【００４７】
主装置２は、電話端末３−２からパーク保留解除要求メッセージを受信すると、電話端末３−４のパーク保留が解除されたことを示す状態表示（ＩＮＦＯ）メッセージを、主装置２が収容する各電話端末３−１〜３−４に送信する（Ｓ３１２）。これを受けて、各電話端末３−１〜３−４は、所定のＬＥＤを点灯させるなどして、電話端末３−４のパーク保留が解除されたことをユーザに知らせる。
【００４８】
つぎに、主装置２は、電話端末３−２にパーク保留解除応答（２００ＯＫ）メッセージを送信する（Ｓ３１３）。また、主装置２は、電話端末３−２から受信したパーク保留解除要求メッセージのメディア接続情報に設定されているメディア種別「Ｂ」を主装置２がサポートしていないことを確認する。それから、パーク保留が解除された電話端末３−４の端末情報（サポートするメディア種別「Ａ」、「Ｂ」、「Ｃ」）を参照して、電話端末３−４がメディア種別「Ｂ」をサポートしているか否かを判断する（Ｓ３１４）。ここで、電話端末３−４はメディア種別「Ｂ」をサポートしている。そこで、主装置２は、電話端末３−２、３−４にそれぞれ送信する再接続要求（ＩＮＶＩＴＥ）メッセージに付加するメディア接続情報のメディア接続先をそれぞれの電話端末３−２、３−４の通話相手となる電話端末３−４、３−２に設定し、メディア種別をパーク保留解除要求メッセージのメディア接続情報に設定されているメディア種別「Ｂ」に設定する（Ｓ３１５）。
【００４９】
それから、主装置２は、電話端末３−２に対して、メディア接続先として電話端末３−４が設定され、かつメディア種別としてメディア種別「Ｂ」が設定されたメディア接続情報が付加された再接続要求メッセージを送信するとともに（Ｓ３１６）、電話端末３−４に対して、メディア接続先として電話端末３−２が設定され、かつメディア種別としてメディア種別「Ｂ」が設定されたメディア接続情報が付加された再接続要求メッセージを送信する（Ｓ３１７）。
【００５０】
電話端末３−２は、主装置２から再接続要求メッセージを受信すると、主装置２に再接続応答（２００ＯＫ）メッセージを返信する（Ｓ３１８）。同様に、電話端末３−４は、主装置２から再接続要求メッセージを受信すると、主装置２に再接続応答メッセージを返信する（Ｓ３１９）。これにより、電話端末３−２と電話端末３−４との間に、主装置２を経由しないで新たな通話路が直接確立される（Ｓ３２０）。そして、この通話路を介して、主装置２がサポートしていないメディア種別「Ｂ」による通話が行われる。
【００５１】
なお、ここでは、Ｓ３１４において、パーク保留が解除された電話端末３−４が、パーク保留解除要求メッセージのメディア接続情報に設定されているメディア種別「Ｂ」をサポートしている場合を例にとり説明したが、パーク保留が解除された電話端末３が、パーク保留解除要求メッセージのメディア接続情報に設定されているメディア種別をサポートしていない場合、Ｓ３１５において、パーク保留解除要求メッセージ送信元の電話端末３およびパーク保留解除された電話端末３にそれぞれ送信する再接続要求メッセージに付加するメディア接続情報のメディア接続先が主装置２に設定され、メディア種別が、主装置２がサポートするメディア種別「Ａ」に設定される。その結果、Ｓ３２０において、パーク保留解除要求メッセージ送信元の電話端末３とパーク保留解除された電話端末３との間に、主装置２を経由して新たな通話路が確立され、この通話路を介して、主装置２がサポートするメディア種別「Ａ」による通話が行われる。
【００５２】
つぎに、本実施の形態に係る内線電話システム１に用いられる主装置２の詳細を説明する。なお、電話端末３には、ＳＩＰ（Ｓｅｓｓｉｏｎ  Ｉｎｉｔｉａｔｉｏｎ  Ｐｒｏｔｏｃｏｌ）端末等の既存の内線電話端末を利用できるので、その詳細な説明を省略する。
【００５３】
図６は、主装置２の概略機能構成図である。
【００５４】
図示するように、主装置２は、内線インターフェース部２０と、外線インターフェース部２１と、番号計画記憶部２２と、端末情報記憶部２３と、メディア接続情報抽出部２４と、メディア接続情報記憶部２５と、メディア接続情報付加部２６と、呼制御部２７と、通話処理部２８と、を備えている。
【００５５】
内線インターフェース部２０は、ＬＡＮ等の内線４を介して電話端末３と接続するためのインターフェースであり、外線インターフェース部２１は、ＷＡＮ等の外線６を介して電話網５と接続するためのインターフェースである。
【００５６】
番号計画記憶部２２は、主装置２に割り当てられた外線６および主装置２が収容する内線４の番号計画に関する情報が記憶されている。具体的には、外線６の外線番号を収容する電話網５上の呼制御サーバ（不図示）のアドレス情報、および内線４の内線番号毎に、この内線番号が割り当てられた電話端末３のアドレス情報が記憶される。
【００５７】
端末情報記憶部２３は、主装置２が収容する内線４の内線番号毎に、この内線番号が割り当てられた端末登録済みの電話端末３がサポートするメディア種別に関する端末情報が記憶される。
【００５８】
図７は、端末情報記憶部２３の登録内容例を模式的に表した図である。
【００５９】
図示するように、端末情報記憶部２３には、主装置２が収容する内線番号毎にレコード２３０が記憶されている。レコード２３０は、内線番号が登録されたフィールド２３１と、この内線番号が割り当てられた電話端末３が端末登録されている場合に、この電話端末３がサポートするメディア種別を登録するフィールド２３２と、この電話端末３の端末登録の有効期限を登録するフィールド２３３と、を有する。ここで、フィールド２３２、２３３が空欄（ＮＵＬＬ）のレコード２３０は、このレコード２３０のフィールド２３１に登録されている内線番号が割り当てられた電話端末３が端末登録されていないか、あるいは、フィールド２３３に登録されている有効期限の経過により端末登録が削除されたことを示す。
【００６０】
メディア接続情報抽出部２４は、主装置２が受信した接続要求メッセージ、接続応答メッセージ、パーク保留解除要求メッセージ等の呼制御（ＳＩＰ）メッセージに付加されているメディア接続情報（ＳＤＰ）を抽出する。
【００６１】
メディア接続情報記憶部２５は、主装置２が送信する接続要求メッセージ、接続応答メッセージ、再接続要求メッセージ等の呼制御メッセージに付加するメディア接続情報を記憶する。
【００６２】
メディア接続情報付加部２６は、主装置２が送信する接続要求メッセージ、接続応答メッセージ、再接続要求メッセージ等の呼制御メッセージに、メディア接続情報記憶部２５に記憶されているメディア接続情報を付加する。
【００６３】
呼制御部２７は、ＳＩＰに従って呼制御手順を実行することにより、電話端末３と電話端末３との間（内線接続）、あるいは電話端末３と電話網５との間（外線接続）の通話路を確立・解放する。図示するように、呼制御部２７は、端末情報登録部２７０と、サポート判断部２７１と、メッセージ中継部２７２と、を有する。
【００６４】
端末情報登録部２７０は、内線インターフェース部２０を介して電話端末３から受信した端末登録要求メッセージに従いメディア接続情報記憶部２５を更新して、この電話端末３を端末登録する。
【００６５】
サポート判断部２７１は、メディア接続情報抽出部２４によって呼制御メッセージから抽出されたメディア接続情報のメディア種別を主装置２がサポートしているか否かを判断するとともに、メディア接続情報記憶部２５を参照して、この呼制御メッセージの送信先の電話端末３がこのメディア種別をサポートしているか否かを判断する。
【００６６】
メッセージ中継部２７２は、サポート判断部２７１での判断結果に応じたメディア接続情報をメディア接続情報記憶部２５に記憶する。また、メディア接続情報付加部２６によってメディア接続情報が付加された呼制御メッセージをこの呼制御メッセージの送信先へ中継する。
【００６７】
通話処理部２８は、ＲＴＰ（Ｒｅａｌｔｉｍｅ  Ｔｒａｎｓｐｏｒｔ  Ｐｒｏｔｏｃｏｌ）に従い、呼制御部２７によって主装置２経由で確立された通話路を介してメディア種別「Ａ」による通話を中継する。
【００６８】
図８は、主装置２の端末登録処理を説明するためのフロー図である。
【００６９】
呼制御部２７の端末情報登録部２７０は、内線インターフェース部２０を介して電話端末３から端末登録要求メッセージを受信すると（Ｓ４００でＹＥＳ）、端末情報記憶部２３を参照し、この端末登録要求メッセージで指定されている内線番号がフィールド２３１に登録されているレコード２３０を検索する（Ｓ４０１）。そして、該当するレコード２３０がないならば（Ｓ４０１でＮＯ）、内線インターフェース部２０を介して端末登録要求メッセージの送信元の電話端末３に端末登録不可（４０３Ｆｏｒｂｉｄｄｅｎ）メッセージを返信し（Ｓ４０５）、その後、Ｓ４００に戻る。
【００７０】
一方、該当するレコード２３０があるならば（Ｓ４０１でＹＥＳ）、端末情報登録部２７０は、このレコード２３０のフィールド２３２に、端末登録要求メッセージで指定されているメディア種別を登録、あるいはこのフィールド２３２に登録されているメディア種別を、端末登録要求メッセージで指定されているメディア種別に更新する（Ｓ４０２）。
【００７１】
つぎに、端末情報登録部２７０は、端末登録要求メッセージで指定されている存続期間を現在日時に加算して有効期限を算出する。そして、このレコード２３０のフィールド２３３に、算出した有効期限を登録、あるいはこのフィールド２３３に登録されている有効期限を、算出した有効期限に更新する（Ｓ４０３）。
【００７２】
それから、端末情報登録部２７０は、内線インターフェース部２０を介して端末登録要求メッセージの送信元の電話端末３に端末登録受付（２００ＯＫ）メッセージを返信し（Ｓ４０４）、その後、Ｓ４００に戻る。
【００７３】
また、端末情報登録部２７０は、内線インターフェース部２０を介して電話端末３から端末登録解除要求メッセージを受信すると（Ｓ４０６でＹＥＳ）、端末情報記憶部２３を参照し、この端末登録要求メッセージで指定されている内線番号がフィールド２３１に登録されているレコード２３０を特定する（Ｓ４０７）。そして、該当するレコード２３０のフィールド２３２、２３３に登録されているメディア種別、有効期限を削除する（Ｓ４０８）。それから、端末情報登録部２７０は、内線インターフェース部２０を介して端末登録要求メッセージの送信元の電話端末３に端末登録解除受付（２００ＯＫ）メッセージを返信し（Ｓ４０９）、その後、Ｓ４００に戻る。
【００７４】
また、端末情報登録部２７０は、端末情報記憶部２３を参照して、フィールド２３３に登録されている有効期限の経過によりタイムアウトしたレコード２３０があるか否かを判断する（Ｓ４１０）。そして、タイムアウトしたレコード２３０があるならば（Ｓ４１０でＹＥＳ）、このレコード２３０のフィールド２３２、２３３に登録されているメディア種別、有効期限を削除する（Ｓ４１１）。それから、Ｓ４００に戻る。
【００７５】
図９は、主装置２の呼接続処理を説明するためのフロー図である。このフローは、主装置２が接続要求メッセージを受信することにより開始される。
【００７６】
まず、呼制御部２７のメッセージ中継部２７２は、接続要求メッセージが、内線インターフェース部２０を介して電話端末３から受信した内線発信であるか、それとも、外線インターフェース部２１を介して電話網５から受信した外線着信であるかを判断する（Ｓ５００）。
【００７７】
外線着信である場合（Ｓ５００で外線着信）、ＳＩＰに従い電話網５および電話端末３と通常の呼制御処理を実施して（Ｓ５０１）、電話網５と電話端末３との間に主装置２経由で通話路を確立する。それから、この通話路を介して、主装置２がサポートするメディア種別「Ａ」による通話を開始する。
【００７８】
一方、内線発信である場合（Ｓ５００で内線発信）、メッセージ中継部２７２は、接続要求メッセージで指定されている発信先番号が内線番号であるか、それとも外線番号であるかを判断する（Ｓ５０２）。発信先番号が外線番号である場合（Ｓ５０２で外線）、メッセージ中継部２７２は、メディア接続情報抽出部２４に、接続要求メッセージからメディア接続情報を抽出（分離）させる（Ｓ５０３）。そして、抽出したメディア接続情報の内容に関わらず、主装置２がメディア接続先として設定され、主装置２がサポートするメディア種別「Ａ」がメディア種別として設定されたメディア接続情報をメディア接続情報記憶部２５に記憶する（Ｓ５０４）。それから、メディア接続情報付加部２６は、メディア接続情報が抽出された接続要求メッセージに、メディア接続情報記憶部２５に記憶されているメディア接続情報を付加する（Ｓ５０５）。
【００７９】
つぎに、メッセージ中継部２７２は、メディア接続情報が付加された接続要求メッセージを、外線インターフェース部２１を介して電話網５に中継する（Ｓ５０６）。その後、ＳＩＰに従い発信元の電話端末３および電話網５と通常の呼制御処理を実施して（Ｓ５０７）、発信元の電話端末３と電話網５との間に主装置２経由で通話路を確立する。それから、この通話路を介して、主装置２がサポートするメディア種別「Ａ」による通話を開始する。
【００８０】
一方、接続要求メッセージで指定されている発信先番号が内線番号である場合（Ｓ５０２で内線）、メッセージ中継部２７２は、メディア接続情報抽出部２４に、接続要求メッセージからメディア接続情報を抽出（分離）させる（Ｓ５０８）。つぎに、呼制御部２７のサポート判断部２７１は、抽出したメディア接続情報で指定されているメディア種別が、主装置２がサポートするメディア種別「Ａ」であるか否かを判断する（Ｓ５０９）。抽出したメディア接続情報で指定されているメディア種別がメディア種別「Ａ」である場合（Ｓ５０９でＹＥＳ）、メッセージ中継部２７２は、主装置２がメディア接続先として設定され、かつ、主装置２がサポートするメディア種別「Ａ」がメディア種別として設定されたメディア接続情報をメディア接続情報記憶部２５に記憶する（Ｓ５０４）。それから、メディア接続情報付加部２６は、メディア接続情報が抽出された接続要求メッセージに、メディア接続情報記憶部２５に記憶されているメディア接続情報を付加する（Ｓ５０５）。なお、本実施の形態では、主装置２がメディア種別「Ａ」のみをサポートしている場合を例にとり説明しているが、本発明はこれに限定されない。例えば、主装置２がメディア種別「Ａ」に加えて図示していないメディア種別「Ｅ」もサポートしている場合、Ｓ５０９において、抽出したメディア接続情報で指定されているメディア種別が、主装置２がサポートするメディア種別「Ａ」またはメディア種別「Ｅ」であるか否か判定する。また、Ｓ５０４において、メッセージ中継部２７２は、主装置２がメディア接続先として設定され、かつ主装置２がサポートするメディア種別「Ａ」またはメディア種別「Ｅ」がメディア種別として設定されたメディア接続情報をメディア接続情報記憶部２５に記憶する。
【００８１】
つぎに、メッセージ中継部２７２は、メディア接続情報が付加された接続要求メッセージを、内線インターフェース部２０を介して発信先の電話端末３に中継する（Ｓ５０６）。その後、ＳＩＰに従い発信元の電話端末３および発信先の電話端末３と通常の呼制御処理を実施して（Ｓ５０７）、発信元の電話端末３と発信先の電話端末３との間に主装置２経由で通話路を確立する。それから、この通話路を介して主装置２がサポートするメディア種別「Ａ」による通話を開始する。
【００８２】
一方、接続要求メッセージから抽出したメディア接続情報で指定されているメディア種別が、主装置２がサポートするメディア種別「Ａ」でない場合（Ｓ５０９でＮＯ）、サポート判断部２７１は、端末情報記憶部２３を参照し、メディア接続情報で指定されているメディア種別が、接続要求メッセージで指定された発信先番号により特定される発信先の電話端末３によってサポートされているか否かをさらに判断する（Ｓ５１０）。メディア接続情報で指定されたメディア種別が発信先の電話端末３によってサポートされていない場合（Ｓ５１０でＮＯ）、メッセージ中継部２７２は、主装置２がメディア接続先として設定され、かつ、主装置２がサポートするメディア種別「Ａ」がメディア種別として設定されたメディア接続情報をメディア接続情報記憶部２５に記憶する（Ｓ５０４）。それから、メディア接続情報付加部２６は、メディア接続情報が抽出された接続要求メッセージに、メディア接続情報記憶部２５に記憶されているメディア接続情報を付加する（Ｓ５０５）。
【００８３】
つぎに、メッセージ中継部２７２は、メディア接続情報が付加された接続要求メッセージを、内線インターフェース部２０を介して発信先の電話端末３に中継する（Ｓ５０６）。その後、ＳＩＰに従い発信元の電話端末３および発信先の電話端末３と通常の呼制御処理を実施して（Ｓ５０７）、発信元の電話端末３と発信先の電話端末３との間に主装置２経由で通話路を確立する。それから、この通話路を介して主装置２がサポートするメディア種別「Ａ」による通話を開始する。
【００８４】
一方、メディア接続情報で指定されているメディア種別が発信先の電話端末３によってサポートされている場合（Ｓ５１０でＹＥＳ）、メッセージ中継部２７２は、接続要求メッセージから抽出したメディア接続情報のメディア種別はそのままに、メディア接続先を発信元の電話端末に変更する。そして、このメディア接続情報をメディア接続情報記憶部２５に記憶する（Ｓ５１１）。それから、メディア接続情報付加部２６は、メディア接続情報が抽出された接続要求メッセージにメディア接続情報記憶部２５に記憶されているメディア接続情報を付加する（Ｓ５１２）。
【００８５】
つぎに、メッセージ中継部２７２は、メディア接続情報が付加された接続要求メッセージを、内線インターフェース部２０を介して発信先の電話端末３に中継する（Ｓ５１３）。その後、メッセージ中継部２７２は、内線インターフェース部２０を介して発信先の電話端末３から呼出メッセージを受信して、内線インターフェース部２０を介して発信元の電話端末３にこの呼出メッセージを中継する（Ｓ５１４）。
【００８６】
つぎに、メッセージ中継部２７２は、内線インターフェース部２０を介して発信先の電話端末３から接続応答メッセージを受信すると（Ｓ５１５）、メディア接続情報抽出部２４に、この接続応答メッセージからメディア接続情報を抽出（分離）させる（Ｓ５１６）。そして、接続応答メッセージから抽出したメディア接続情報のメディア種別はそのままに、メディア接続先を発信先の電話端末３に変更し、このメディア接続情報をメディア接続情報記憶部２５に記憶する（Ｓ５１７）。それから、メディア接続情報付加部２６は、メディア接続情報が抽出された接続応答メッセージに、メディア接続情報記憶部２５に記憶されているメディア接続情報を付加する（Ｓ５１８）。
【００８７】
つぎに、メッセージ中継部２７２は、内線インターフェース部２０を介して発信元の電話端末３に、メディア接続情報が付加された接続応答メッセージを中継する（Ｓ５１９）。これにより、発信元の電話端末３と発信先の電話端末３との間に主装置２を経由せずに直接通話路が確立される。そして、この通話路を介して主装置２がサポートするメディア種別「Ａ」以外のメディア種別による通話が開始される。
【００８８】
図１０は、主装置２のパーク保留・転送処理を説明するためのフロー図である。このフローは、主装置２が通話中の電話端末３からパーク保留要求メッセージを受信することにより開始される。
【００８９】
まず、呼制御部２７のメッセージ中継部２７２は、内線インターフェース部２０を介して、パーク保留要求メッセージの送信元の電話端末３にパーク保留応答メッセージを返信する（Ｓ６００）。それから、内線インターフェース部２０を介して、パーク保留要求メッセージの送信元の電話端末３に切断要求メッセージを送信して、この電話端末３から切断応答メッセージを受信する（Ｓ６０１）。これにより、パーク保留要求メッセージの送信元の電話端末３とこの電話端末３の通話相手との通話路が切断され、通話相手がパーク保留される。
【００９０】
つぎに、メッセージ中継部２７２は、内線インターフェース部２０あるいは外線インターフェース部２１を介して保留相手（パーク保留された通話相手）に保留音送出メッセージを送信し、保留相手から保留音送出応答メッセージを受信する（Ｓ６０２）。それから、メッセージ中継部２７２は、パーク保留中であることを示す状態表示メッセージを、内線インターフェース部２０を介して各電話端末３に送信する（Ｓ６０３）。
【００９１】
つぎに、メッセージ中継部２７２は、内線インターフェース部２０を介していずれかの電話端末３からパーク保留解除要求メッセージを受信し（Ｓ６０４）、パーク保留が解除されたことを示す状態表示メッセージを、内線インターフェース部２０を介して各電話端末３に送信する（Ｓ６０５）。また、パーク保留解除要求メッセージを送信した電話端末３（保留解除要求元）にパーク保留解除応答メッセージを返信する（Ｓ６０６）。
【００９２】
つぎに、メッセージ中継部２７２は、メディア接続情報抽出部２４に、パーク保留解除要求メッセージからメディア接続情報を抽出（分離）させる（Ｓ６０７）。つぎに、呼制御部２７のサポート判断部２７１は、抽出したメディア接続情報で指定されているメディア種別が、主装置２がサポートするメディア種別「Ａ」であるか否かを判断する（Ｓ６０８）。そして、抽出したメディア接続情報で指定されているメディア種別が、主装置２がサポートするメディア種別「Ａ」でない場合（Ｓ６０８でＮＯ）、端末情報記憶部２３を参照し、メディア接続情報で指定されているメディア種別が保留相手によってサポートされているか否かをさらに判断する（Ｓ６０９）。ここで、保留相手が電話網５側の電話端末であるならば、メディア接続情報で指定されているメディア種別は保留相手によってサポートされていないと判断する。
【００９３】
パーク保留解除要求メッセージから抽出したメディア接続情報で指定されているメディア種別が、主装置２がサポートするメディア種別「Ａ」である場合（Ｓ６０８でＹＥＳ）、あるいはこのメディア種別が保留相手によってサポートされていない場合（Ｓ６０９でＮＯ）、メッセージ中継部２７２は、主装置２がメディア接続先として設定され、かつ、主装置２がサポートするメディア種別「Ａ」がメディア種別として設定されたメディア接続情報をメディア接続情報記憶部２５に記憶する（Ｓ６１０）。それから、メッセージ中継部２７２は、保留解除要求元の電話端末３と保留相手との間に通話路を確立するための再接続要求メッセージを生成し（Ｓ６１１）、メディア接続情報付加部２６が、この再接続要求メッセージに、メディア接続情報記憶部２５に記憶されているメディア接続情報を付加する（Ｓ６１２）。
【００９４】
つぎに、メッセージ中継部２７２は、メディア接続情報が付加された再接続要求メッセージを、内線インターフェース部２０を介して保留解除要求元の電話端末３に送信するとともに、メディア接続情報が付加された再接続要求メッセージを、内線インターフェース部２０あるいは外線インターフェース部２１を介して保留相手に送信する（Ｓ６１３）。その後、内線インターフェース部２０を介して保留解除要求元の電話端末３から再接続応答メッセージを受信するとともに、内線インターフェース部２０あるいは外線インターフェース部２１を介して保留相手から再接続応答メッセージを受信する（Ｓ６１４）。これにより、保留解除要求元の電話端末３と保留相手との間に主装置２経由で通話路が確立され、この通話路を介して主装置２がサポートするメディア種別「Ａ」による通話が開始される。
【００９５】
一方、パーク保留解除要求メッセージから抽出したメディア接続情報で指定されているメディア種別が、主装置２がサポートするメディア種別「Ａ」以外のメディア種別であり（Ｓ６０８でＮＯ）、かつこのメディア種別が保留相手によってサポートされている場合（Ｓ６０９でＹＥＳ）、メッセージ中継部２７２は、保留解除要求元用のメディア接続情報として、メディア接続先として保留相手が設定され、かつ、メディア種別としてパーク保留解除要求メッセージから抽出したメディア接続情報のメディア種別が設定されたメディア接続情報をメディア接続情報記憶部２５に記憶するとともに、保留相手用のメディア接続情報として、メディア接続先として保留解除要求元の電話端末３が設定され、かつ、メディア種別としてパーク保留解除要求メッセージから抽出したメディア接続情報のメディア種別が設定されたメディア接続情報をメディア接続情報記憶部２５に記憶する（Ｓ６１５）。
【００９６】
それから、メッセージ中継部２７２は、保留解除要求元の電話端末３および保留相手のそれぞれに対して、保留解除要求元の電話端末３と保留相手との間に通話路を確立するための再接続要求メッセージを生成し（Ｓ６１６）、メディア接続情報付加部２６が、保留解除要求元の電話端末３用の再接続要求メッセージに、メディア接続情報記憶部２５に記憶されている保留解除要求元用のメディア接続情報を付加するとともに、保留相手用の再接続要求メッセージに、メディア接続情報記憶部２５に記憶されている保留相手用のメディア接続情報を付加する（Ｓ６１７）。
【００９７】
つぎに、メッセージ中継部２７２は、内線インターフェース部２０を介して保留解除要求元の電話端末３に、保留解除要求元用のメディア接続情報が付加された再接続要求メッセージを送信するとともに、内線インターフェース部２０を介して保留相手に、保留相手用のメディア接続情報が付加された再接続要求メッセージを送信する（Ｓ６１８）。その後、内線インターフェース部２０を介して保留解除要求元の電話端末３および保留相手から再接続応答メッセージを受信する（Ｓ６１９）。これにより、保留解除要求元の電話端末３と保留相手との間に主装置２を経由せずに直接通話路が確立される。そして、この通話路を介して主装置２がサポートするメディア種別「Ａ」以外のメディア種別による通話が開始される。
【００９８】
図１１は、主装置２の呼切断処理を説明するためのフロー図である。このフローは、主装置２が切断要求メッセージを受信することにより開始される。
【００９９】
まず、呼制御部２７のメッセージ中継部２７２は、メディア接続情報記憶部２５に記憶されているメディア接続情報をクリアする（Ｓ７００）。それから、切断要求メッセージの送信元に切断応答メッセージを返信する（Ｓ７０１）。
【０１００】
つぎに、メッセージ中継部２７２は、切断要求メッセージの送信元の通話相手にこの切断要求メッセージを中継して（Ｓ７０２）。この通話相手から切断応答メッセージを受信する（Ｓ７０３）。これにより、切断要求メッセージの送信元とその通話相手との間の通話路が解放され、通話が終了する。
【０１０１】
以上、本発明の一実施の形態を説明した。
【０１０２】
本実施の形態において、主装置２は、発信元の電話端末３から受信した接続要求メッセージに付加されているメディア接続情報で指定されているメディア種別をサポートしていない場合、この接続要求メッセージの発信先の電話端末３がこのメディア種別をサポートしているならば、接続要求メッセージに付加されているメディア接続情報のメディア接続先に発信元の電話端末３を設定して、この接続要求メッセージを発信先の電話端末３に中継するとともに、発信先の電話端末３から受信した接続応答メッセージに付加されているメディア接続情報のメディア接続先に発信先の電話端末３を設定して、この接続応答メッセージを発信元の電話端末３に中継する。これにより、発信元の電話端末３と発信先の電話端末３との間に主装置２を経由しない通話路を確立させ、このメディア種別での通話を可能としている。したがって、本実施の形態によれば、電話端末３間において、これらの電話端末３を収容する主装置２がサポートしていないメディア種別での通話を可能とすることができる。
【０１０３】
また、本実施の形態において、主装置２は、接続要求メッセージに付加されているメディア接続情報のメディア種別を発信先の電話端末３がサポートしていないと判断した場合に、このメディア接続情報のメディア種別を、主装置２がサポートするメディア種別「Ａ」に設定し、かつメディア接続先を主装置２に設定した接続要求メッセージを発信先の電話端末３に中継する。これにより、発信元の電話端末３と発信先の電話端末３との間に主装置２を経由した通話路を確立させ、主装置２がサポートするメディア種別「Ａ」での通話を可能としている。したがって、本実施の形態によれば、発信元の電話端末３が送信した接続要求メッセージに付加されているメディア接続情報で指定したメディア種別を発信先の電話端末３がサポートしていない場合でも、発信元の電話端末３と発信先の電話端末３との間の通話を確実に実現することができる。
【０１０４】
また、本実施の形態において、主装置２は、電話端末３をパーク保留中に他の電話端末３（保留解除要求元）からパーク保留解除要求メッセージを受信した場合に、このパーク保留解除要求メッセージに付加されているメディア接続情報のメディア種別をパーク保留中の電話端末３がサポートしているか否かをさらに判断する。そして、パーク保留解除要求メッセージに付加されているメディア接続情報のメディア種別をパーク保留中の電話端末３がサポートしている場合、保留解除要求元の電話端末３に対して、メディア種別をパーク保留解除要求メッセージに付加されているメディア接続情報のメディア種別に設定し、かつメディア接続先をパーク保留中の電話端末３に設定したメディア接続情報が付加された再接続要求メッセージを送信するとともに、パーク保留中の電話端末３に対して、メディア種別をパーク保留解除要求メッセージに付加されているメディア接続情報のメディア種別に設定し、かつメディア接続先を保留解除要求元の電話端末３に設定したメディア接続情報が付加された再接続要求メッセージを送信する。これにより、保留解除要求元の電話端末３とパーク保留中の電話端末３との間に主装置２を経由しない通話路を確立させ、このメディア種別での通話を可能としている。したがって、本実施の形態によれば、パーク保留解除後においても、電話端末３間で、これらの電話端末３を収容する主装置２がサポートしていないメディア種別での通話を可能とすることができる。
【０１０５】
また、本実施の形態において、主装置２は、パーク保留解除要求メッセージに付加されているメディア接続情報のメディア種別をパーク保留中の電話端末３がサポートしていないと判断した場合に、保留解除要求元の電話端末３およびパーク保留中の電話端末３のそれぞれに対して、メディア種別を主装置２がサポートするメディア種別「Ａ」に設定し、かつメディア接続先を主装置２に設定したメディア接続情報が付加された再接続要求メッセージを送信する。これにより、保留解除要求元の電話端末３とパーク保留中の電話端末３との間に主装置２を経由した通話路を確立させ、主装置２がサポートするメディア種別「Ａ」での通話を可能としている。したがって、本実施の形態によれば、保留解除要求元の電話端末３が送信したパーク保留解除要求メッセージに付加されているメディア接続情報で指定したメディア種別をパーク保留中の電話端末３がサポートしていない場合でも、保留解除要求元の電話端末３とパーク保留中の電話端末３との間の通話を確実に実現することができる。
【０１０６】
また、本実施の形態において、主装置２は、接続要求メッセージ、接続応答メッセージ、パーク保留解除要求メッセージ等の呼制御メッセージに付加されているメディア接続情報を抽出するメディア接続情報抽出部２４と、メディア接続情報を記憶するメディア接続情報記憶部２５と、接続要求メッセージ、接続応答メッセージ、再接続要求メッセージ等の送信対象の呼制御メッセージにメディア接続情報記憶部２５に記憶されているメディア接続情報を付加するメディア接続情報付加部２６と、を有し、主装置２がサポートするメディア種別「Ａ」以外のメディア種別の通話路を確立させる場合に、メディア接続情報抽出部２４により呼制御メッセージから抽出されたメディア接続情報のメディア接続先を主装置２から呼制御メッセージの送信元の電話端末３に変更し、このメディア接続情報をメディア接続情報記憶部２５に記憶する。このため、主装置２がサポートするメディア種別「Ａ」以外のメディア種別のメディア接続情報を主装置２に予め登録しておく必要がないので、そのための記憶エリアを節約することができる。
【０１０７】
また、本実施の形態において、主装置２は、電話端末３毎に、電話端末３から受信した端末登録要求メッセージに付加されている、この電話端末３がサポートするメディア種別を端末情報記憶部２３に記憶する。したがって、電話端末３各々について、電話端末３がサポートするメディア種別を予め調べて主装置２に登録しておく必要がない。また、いずれかの電話端末３のサポートするメディア種別が変更された場合でも、その内容を主装置２に迅速に反映させることができる。
【０１０８】
なお、本発明は上記の実施の形態に限定されるものではなく、その要旨の範囲内で数々の変形が可能である。
【０１０９】
例えば、上記の実施の形態では、呼制御プロトコルとしてＳＩＰを用いた内線電話システム１を例にとり説明したが、本発明はこれに限定されない。本発明は、様々な呼制御プロトコルを用いた電話システムの主装置に適用することができる。
【０１１０】
また、上記の実施の形態では、電話端末３から主装置２に通知する端末登録要求メッセージに、具体的なメディア種別の指定情報を付加して送信する場合を例にとり説明しているが、端末登録要求メッセージに電話端末３の端末機種や端末固有の識別コードを含めて主装置２に通知し、主装置２側でメディア種別を特定するようにしてもよい。また、図示していないが、端末登録要求メッセージの他に、電話端末３からの接続要求メッセージ、接続応答メッセージ、パーク保留解除要求メッセージ等に含まれるメディア種別を参照してサポート判断を行ってもよい。
【０１１１】
また、上記の実施の形態において、図６に示す主装置２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃｏｎｔｒｏｌｌｅｒ）等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【０１１２】
１：内線電話システム、  ２：主装置、  ３、３−１〜３−４：電話端末器、  ４：内線、  ５：電話網、  ６：外線、  ２０：内線インターフェース部、  ２１：外線インターフェース部、  ２２：番号計画記憶部、  ２３：端末情報記憶部、  ２４：メディア接続情報抽出部、  ２５：メディア接続情報記憶部、  ２６：メディア接続情報付加部、  ２７：呼制御部、  ２８：通話処理部、  ２７０：端末情報登録部、  ２７１：サポート判断部、  ２７２：メッセージ中継部
【図１】
2018064255.tif 000003
【図２】
2018064255.tif 000004
【図３】
2018064255.tif 000005
【図４】
2018064255.tif 000006
【図５】
2018064255.tif 000007
【図６】
2018064255.tif 000008
【図７】
2018064255.tif 000009
【図８】
2018064255.tif 000010
【図９】
2018064255.tif 000011
【図１０】
2018064255.tif 000012
【図１１】
2018064255.tif 000013